(57)【特許請求の範囲】
【請求項１】
上面が開放されクレヨンなどの画材を収納する容器本体の前記上面側から蓋体を着脱可能にして被せ付け、前記容器本体の下面に設けた支持構造部に支持させたゴム環などの環状の弾性体を容器本体の下面から蓋体に亘って巻き回して、巻き回して緊張する弾性体により前記蓋体が容器本体に取り付けられている画材収納容器であって、
前記支持構造部は、
容器本体の下面から下方に突出する縦板部とこの縦板部に連続する横板部とからなる略Ｌ字型状にして、かつ前記横板部の先端に上方に向けて凸の突起部を配したフックと、
前記フックの横板部と容器本体とで前記弾性体を前記横板部に沿って移動可能に保持し、前記フックの突起部が弾性体に係止可能に設けられている第一の保持部と、
前記容器本体の下面の前記突起部に対応する部分を開口して、開口の縁を突起部に非接触とし、突起部の係止解除位置である突端と前記開口縁とで弾性体を保持可能にした第二の保持部と、
前記容器本体の下面から下方にリブを突出させてフックに対向位置させ、前記リブと前記フックの横板部の先端とで弾性体を保持可能にした第三の保持部とを備え、
支持構造部における前記第一の保持部と第二の保持部とが連続して、突起部の係止を解除する方向に弾性体を送り出し可能とされ、前記第二の保持部と第三の保持部とが連続して、突起部による係止が解除されて第二の保持部に保持されている弾性体が第三の保持部を通して支持構造部から取り外し可能とされた構成としたことを特徴とする画材収納容器。
【請求項２】
上記第二の保持部における突起部には、保持する弾性体の長さ方向に沿った方向での一端側に、突起高さを低くして第二の保持部と第三の保持部との間の弾性体の移動を案内する案内面が設けられているとともに、第二の保持部における上記開口縁での前記案内面に対向する部分が切り欠かれて弾性体が入り込む逃げ部が設けられている請求項１に記載の画材収納容器。
【請求項３】
上記第一の保持部から第二の保持部に亘って、弾性体の第一の保持部と第二の保持部との間の移動を可能に案内する直線状案内部が設けられている請求項１または２に記載の画材収納容器。
【請求項４】
上記支持構造部は、容器本体の下面で弾性体を渡す方向に沿って複数位置していて、少なくとも弾性体を渡す方向での容器本体の端部側に支持構造部が位置している請求項１から３の何れか一項に記載の画材収納容器。
【発明の詳細な説明】
【技術分野】
【０００１】
本発明はクレヨンなどの画材を収納する画材収納容器に関するものである。
【背景技術】
【０００２】
従来、クレヨンを収納する容器は、複数本のクレヨンを並べ入れるトレー状の容器本体の開放された上面に蓋体を開閉可能に被せ付けたものであり、幼児が開け閉めし易いように錠前機構などが無い簡易な構造となっている。また、幼児が容器を持って遊ぶなどしているときに誤って蓋体が外れてクレヨンが散逸する場合もあるため、容器に伸縮性のあるバンドを巻いて蓋体が外れないようにし、使用時には容器からそのバンドを取り外してから蓋体を外すことができるようにした工夫（例えば、特許文献１参照）や、容器本体の下面側から蓋体に伸縮性のあるゴム紐を巻き回して、巻き回しで緊張したゴム紐で蓋体を容器本体に止め付け、使用時には蓋体に掛かっているゴム紐を容器本体の下面に回して蓋体から外すことで、その蓋体を容器本体から取り外すことができるようにした工夫（例えば、特許文献２参照）があった。
【特許文献１】実開昭５７−０４５３２６号公報
【特許文献２】実開昭６２−０１５２２８号公報
【発明の開示】
【発明が解決しようとする課題】
【０００３】
しかしながら、上述したバンドを巻いて蓋体の外れを防止するようにしたものでは、幼児がお絵描き遊びなどをする内にバンドそのものを紛失してしまう可能性がある。その点、後者のゴム紐を容器本体の下面から蓋体に亘って巻き回すものでは、ゴム紐の紛失を防止できる有利な面がある。
しかしながら、上記ゴム紐の端部それぞれを容器本体に止めるため、ゴム紐の端部にカシメた止め金具を容器本体の下面に開口した孔に下から通して係止させるようにしており、仮に止め金具がゴム紐の端部から外れた場合、この止め金具を幼児が誤って飲み込んでしまう危惧を無くすことができない。
また、ゴム紐の端部から外れた止め金具を再びそのゴム紐に取り付けようとしても、カシメで潰された金属部分を再度開くことは幼児の保護者などの大人であっても非常に困難であった。
【０００４】
このようなことから、ゴム紐などのよう弾性体を予め容器本体に取り付けておいてその弾性体を蓋体に巻き回して止めるようにする収納容器の利点を活かしながら、弾性体自体を容器本体にセットする際に上述のような金属止め具やプラスチック止め具などの別体部品を使用しないで、しかも工業生産的に大量で安価に生産でき、安全性の高い画材収納容器が要望されている。
これに加えて仮に弾性体が傷んで交換する必要が生じた場合には、保護者などの大人がその弾性体の取り外しができ、また取り付けができるようにすることが望まれている。
そこで本発明は上記事情に鑑み、容器本体自体が一体的に備える支持構造部分で上記弾性体を支持し、かつその弾性体の交換も行なえるようにすることを課題とし、弾性体が予め取り付けられていて、幼児向けとして安全な画材収納容器を提供することを目的とする。
【課題を解決するための手段】
【０００５】
（請求項１）
本発明は上記課題を考慮してなるもので、上面が開放されクレヨンなどの画材を収納する容器本体の前記上面側から蓋体を着脱可能にして被せ付け、前記容器本体の下面に設けた支持構造部に支持させたゴム環などの環状の弾性体を容器本体の下面から蓋体に亘って巻き回して、巻き回して緊張する弾性体により前記蓋体が容器本体に取り付けられている画材収納容器であって、前記支持構造部は、容器本体の下面から下方に突出する縦板部とこの縦板部に連続する横板部とからなる略Ｌ字型状にして、かつ前記横板部の先端に上方に向けて凸の突起部を配したフックと、前記フックの横板部と容器本体とで前記弾性体を前記横板部に沿って移動可能に保持し、前記フックの突起部が弾性体に係止可能に設けられている第一の保持部と、前記容器本体の下面の前記突起部に対応する部分を開口して、開口の縁を突起部に非接触とし、突起部の係止解除位置である突端と前記開口縁とで弾性体を保持可能にした第二の保持部と、前記容器本体の下面から下方にリブを突出させてフックに対向位置させ、前記リブと前記フックの横板部の先端とで弾性体を保持可能にした第三の保持部とを備え、支持構造部における前記第一の保持部と第二の保持部とが連続して、突起部の係止を解除する方向に弾性体を送り出し可能とされ、前記第二の保持部と第三の保持部とが連続して、突起部による係止が解除されて第二の保持部に保持されている弾性体が第三の保持部を通して支持構造部から取り外し可能とされた構成としたことを特徴とする画材収納容器を提供して、上記課題を解消するものである。
【０００６】
（請求項２）
そして本発明において、上記第二の保持部における突起部には、保持する弾性体の長さ方向に沿った方向での一端側に、突起高さを低くして第二の保持部と第三の保持部との間の弾性体の移動を案内する案内面が設けられているとともに、第二の保持部における上記開口縁での前記案内面に対向する部分が切り欠かれて弾性体が入り込む逃げ部が設けられているものとすることが可能である。
【０００７】
（請求項３）
また、本発明において、上記第一の保持部から第二の保持部に亘って、弾性体の第一の保持部と第二の保持部との間の移動を可能に案内する直線状案内部が設けられているものとすることが可能である。
【０００８】
（請求項４）
また、本発明において、上記支持構造部は、容器本体の下面で弾性体を渡す方向に沿って複数位置していて、少なくとも弾性体を渡す方向での容器本体の端部側に支持構造部が位置しているものとすることが可能である。
【発明の効果】
【０００９】
請求項１の発明によれば、容器本体に環状の弾性体を予め支持させておくために別部品の止め金具やプラスチック止め具を用いないため、幼児が誤ってその別部品を飲み込むという事故を確実に防止できる。
そして、弾性体を支持構造部から取り外すに際して、フックの第一の保持部から一旦、第二の保持部に弾性体を移動させてそのフックの突起部との係止を解除し、その係止解除をした第二の保持部から第三の保持部側に弾性体を移動させることで、弾性体を支持構造部から外すことができる。逆に、弾性体を支持構造部に取り付けるに際して、リブとフックとの間である第三の保持部から一旦、第二の保持部に位置させ、その後に第一の保持部に移動させるようにするため、取り付けや取り外しは第二の保持部を経由させる手順を踏むことで簡単に行なうことができ、手順や操作が理解できる大人にとっては簡単なものとなる。
加えて、幼児にとっては、その弾性体を支持構造部から取り外そうとしても、第一の保持部から、弾性体係止解除を行なうための第二の保持部に移動させることに判断が及び難く、いたずらなどで弾性体を支持構造部から取り外そうとしても外れ難いものとなり、弾性体を取り外すといういたずらが防止でき、勿論、弾性体がこの支持構造部から不用意に外れるということも確実に防止できる。
そして、支持構造部自体の構造は簡易な構造であるため、画材収納容器の製造コストを引き上げることはない。
【００１０】
請求項２の発明により、上記第二の保持部における突起部には、一部分に案内面が設けられているため、弾性体のこの案内面に対応する部分に爪先を当てがうなどしながら弾性体を第三の保持部から第二の保持部へ、また、第二の保持部から第三の保持部へと引っ掛かり抵抗を生じさせることなく移動でき、弾性体の取り付けと取り外しに際して第二の保持部と第三の保持部との間での移動操作に大きな力を要することがなくなる。
【００１１】
請求項３の発明により、第一の保持部または第二の保持部に位置した弾性体を直線状案内部に沿わせて第一の保持部から第二の保持部へ、逆に第二の保持部から第一の保持部へと移動させることができ、その直線状案内部に位置する部分の弾性体を確実にして簡単に移動させることができ、他の部分もその移動に連れて引っ張られるなどして移動することとなる。そのため、フックに保持されている弾性体をつかんで力任せに引っ張らなくとも、第一の保持部と第二の保持部との間での移動が簡単になる。
【００１２】
請求項４の発明により、複数の支持構造部が弾性体を支持するので、弾性体の容器本体に対する取り付けがより確実なものとなる。そして、容器本体の端部側それぞれに支持構造部が設けられてその位置で弾性体が支持されているため、容器本体の端部からその端部に対応する蓋体の端部への弾性体の回し込みが容易になり、弾性体を蓋体上面に巻き回しする操作が簡単になる。
【発明を実施するための最良の形態】
【００１３】
つぎに本発明を図１から図８に示す実施の形態に基づいて詳細に説明する。
図中１は画材収納容器で、該画材収納容器１は、複数本のクレヨンを並べ入れて収納する容器本体２の上面に蓋体３を開閉可能に被せ付けていて、前記容器本体２の下面にゴム環などの環状の弾性体４を支持させ、容器本体２の下面から蓋体３に亘って前記弾性体４を巻き回すことで、蓋体３を容器本体２に固定しているもので、蓋体３に掛かっている弾性体４を容器本体２の下面側に回すようにして外すことでその蓋体３を容器本体２から取り外すことができ、収納されているクレヨンを取り出すことができるものである。
上記容器本体２と蓋体３とはそれぞれ合成樹脂成形品であって、容器本体２はクレヨンの一本一本を安定的に配置して移動し難いようにするためにクレヨンの収納本数に合わせて収納部５が形成されている。そして、前記収納部５とその収納部５の並び方向に沿って容器本体２の一辺側に位置する底面部６とで容器本体２の下面７が形成されている。
なお、底面部６は、収納部５にあるクレヨンを起こして取り出し易くするために利用する段部の底である。
【００１４】
図２に容器本体２をひっくり返して下面７を上にした状態を示している。この図２に示されているように容器本体２の周壁８の下端位置を容器本体２での最下端位置としていて、前記下面７は周壁８の下端位置に比べて容器高さ方向上方にあり、その下面７が周壁８に囲まれた形状となっている。そして、周壁の下端位置から下面７における収納部５下までの高さ位置範囲に後述する支持構造部９があり、この画材収納容器１を正置するようにテーブル上などに置いたときにも前記支持構造部９がテーブル上面などに直接接触することがないようにしている。また、上記弾性体４を蓋体３から外して容器本体２の下面７側に回したときに、この収納部５全体の嵩高となっている空間に弾性体４を仕舞い込みできるものとなっていて、弾性体４を下に位置させた状態でも容器本体２は持ち上がることなく正置できるように形成されている。
【００１５】
図２に示すように下面７において上記収納部５は容器高さ方向下方に向けて凸となる形状を呈している。そして、上記弾性体４を渡す方向が収納部５の並び方向であって容器本体２の長手方向とされ、その弾性体４を掛け渡す方向での両端部側（容器本体での短辺側）の位置にある収納部５と、略中央の位置にある収納部５との三ヶ所それぞれに、上記支持構造部９が設けられている。
図３から図５は弾性体４を取り付けて支持させるための一つの支持構造部９およびその一部分を示すものであるが、三ヶ所に設けられている支持構造部９はそれぞれ同一の構成を有するものである。
支持構造部９は略Ｌ字型のフック１０と第一の保持部１１と第二の保持部１２と第三の保持部１３とを有してなるもので、容器本体２の下面７に渡した弾性体４を、前記第三の保持部１３に入れて保持させ、そして、第三の保持部１３から第二の保持部１２に移動させて一旦、この第二の保持部１２に保持させて位置させ、さらに、第二の保持部１２から第一の保持部１１へと移動させてこの第一の保持部１１で保持できるようにしているもので、弾性体４の取り付けに際して、フック１０の先端からこのフック１０を無理に開いて直接第一の保持部１１に移動させるのではなく、第二の保持部１２を介して第一の保持部１１に移動させるように設けられている。
【００１６】
まず、フック１０は、収納部５の最下部となる位置でその下面から容器高さ方向下方に縦板部１４を突出させ、縦板部１４の下端に連続して弾性体掛け渡し方向（容器本体の長手方向）に直交する方向に向けて横板部１５を延設していて、弾性体掛け渡し方向から見た時に略Ｌ字型となるように形成されており、さらに、フック１０の先端である横板部１５の先端に、容器高さ方向上方に向けて凸となる突起部１６が設けられている。突起部１６が容器高さ方向上方に向けて凸となっていることから、横板部１５の部分に弾性体４が位置しているときにその横板部１５に沿った方向や容器本体２の下方に向けて弾性体４を引っ張っても前記突起部１６が係止することとなり、弾性体４の外れが防止される。また、突起部１６が容器高さ方向上方に凸となっていることから、その容器高さ方向上方が弾性体４の係止解除方向となり、弾性体４を突起部１６の突端に位置させる移動操作を行なうことで、この突起部１６の弾性体４に対する規制を解除できる。
縦板部１４は幅方向を弾性体掛け渡し方向に揃えていて、その縦板部１４の端部に連続する横板部１５では厚さ方向が容器高さ方向に揃うようにしている。
【００１７】
上記収納部５におけるフック１０に対応する部分は、このフック１０を成型し易くする目的も兼ねた開口が存在しており、この開口の周辺部分も利用しながらフック１０と組み合せて弾性体４を保持するようにしている。
（第一の保持部）
上記第一の保持部１１はフック１０での横板部１５とこの横板部１５に対応する収納部１１の下面での開口縁１７ａ，１７ｂとで形成されていて、横板部１５と開口縁１７ａ，１７ｂとの間で弾性体４を前記横板部１５に沿った方向（弾性体掛け渡し方向に直交する方向）に移動可能に保持する。
図６に示されているように保持部１１における横板部１５と開口縁１７ａとの間隔と、横板部１５と開口縁１７ｂとの間隔とは異なっていて、横板部１５と開口縁１７ａとの間隔にあっては狭くして狭幅部１８ａとされ、弾性体４の移動を可能にしながらもその弾性体４に対する保持の度合いが強くなるようにしている。
また、横板部１５と開口縁１７ｂとの間隔は、横板部１５と開口縁１７ａとの間隔（狭幅部１８）に比べて広いものであって、上記第二の保持部１２から直線状に連続して開口縁１７ｂの位置を開口縁１７ａより容器高さ方向上方に位置させて広幅部１８ｂとしている。
この広幅部１９によって弾性体４を保持しながら横板部１５に沿って弾性体４を容易に移動できるようにしており、この広幅部１８ｂに案内させながら弾性体４を縦板部１４側に移動できるとともに、広幅部１８ｂでの開口縁１７ｂが第二の保持部１２から直線状に連続していて、弾性体４の開口縁１７ｂに掛かった部分を容易に広幅部１８ｂに移動させることができ、弾性体４の開口縁１７ｂに掛かった部分が広幅部１８ｂに移動すれば、第二の保持部１２から狭幅部１８ａに移動しようとする弾性体４もつられてその狭幅部１８ａに大きな抵抗を生じることなく入り込むようになる。
【００１８】
（第二の保持部）
第二の保持部１２は上記第一の保持部１１と連続しているとともに、上記第三の保持部１３にも連続する部分である。図３と図４に示すように上記フック１０の突起部１６に対応する位置で、上記第一の保持部１１での開口と連続するようにして収納部５が開口されており、突起部１６と非接触としている。そして、突起部１６と対応するとともに、弾性体掛け渡し方向に対向する位置にある開口縁１９ａ、１９ｂの対向間隔が広くなるように、上記第一の保持部１１の狭幅部１８ａ側の開口縁１９ａは切り欠かれて弾性体４が入り込む逃げ部２０として設けられている。
一方の開口縁１９ｂは上述したように第一の保持部１１における広幅部１８ｂでの開口縁１７ｂと直線状に連続していて、両者によって直線状案内部２１が形成されている。
このように、突起部１６に対応する開口部分を弾性体掛け渡し方向に広くし、突起部１６とこの突起部１６に非接触とした開口縁１９ａ，１９ｂとの間で弾性体４を挟み込みにて保持きるようにしたこの第二の保持部１２が形成されており、上述したようにこの第二の保持部１２における突起部１６の突端と開口縁１９ａ，１９ｂとの間で弾性体４を挟み込むことで、弾性体４を第一の保持部１１側に移動できるように保持する。
なお、上述したように突起部１６の突端に弾性体４が位置している場合は、突起部１６が弾性体４に係止せずに係止関係が解除されている状態である。
【００１９】
第二の保持部１２では、上述したように突起部１６の突端（突起部１６における容器高さ方向での上端）と上記開口縁１９ａ，１９ｂとの間で弾性体４を挟み込みして一時的に保持できるようにしている。
このため、支持構造部９から弾性体４を取り外すに際し、先に説明したように第一の保持部１１に保持されている弾性体４を下面７から離れる方向に単に引っ張っただけではフック１０の突起部１６に係止して第二の保持部１２側にも移動せず、取り外すことができない。
【００２０】
よって、弾性体４を第一の保持部１１での弾性体４の移動可能とされた方向（横板部１５に沿った方向であって収納部５の長手方向に沿った方向）で突起部１６側に弾性体４を移動させながら、その突起部１６の凸となっている方向（係止解除方向であって、容器高さ方向上方）に押して、突起部１６の突端と上記開口縁１９ａ，１９ｂとの間に入り込ませるようにしなければならない。
このときの動作は特に難しいものではなく、上述したように第二の保持部１２において逃げ部２０では突起部１６と開口縁１９ａとの間が広くなっているので、第一の保持部１１の狭幅部１８ａから表れている弾性体４を爪先などで移動させ、爪先などで軽く押しながら逃げ部２０に押し込めばよく、簡単に第二の保持部１２にこの弾性体４が位置するようになる。なお、狭幅部１８ａに位置する弾性体４を逃げ部２０に移動させる際、弾性体４の広幅部１８ｂに位置している部分にも多少の引っ張り力が加わることとなり、上記直線状案内部２１に案内されてこの部分が第二の保持部１２側に移動する。勿論、広幅部１８ｂ側に表れている弾性体４を爪先にて第二の保持部１２側に送り出してもよく、その場合の抵抗は殆ど生じない。
この後、後述するように第三の保持部１３側に弾性体４を移動させることで、支持構造部９から弾性体４を取り外すことができる。
【００２１】
このように、一旦、第二の保持部１２側で弾性体４を挟持させるために突起部１６の凸方向（係止解除方向）に合わせてその弾性体４を軽く押しながら移動させるという操作の発想自体は幼児には難しく、幼児がこの弾性体４を引っ張って外そうとしても外すことは困難であり、弾性体を取り外すといういたずらを防止できる。また、不用意な取り扱いをしたとしても自然にこの弾性体４が突起部１６の凸となる方向に押し込まれるということはない。従って弾性体４が自然に外れるという問題は生じないものである。
【００２２】
第二の保持部１２における突起部１６は、図５に示されているように保持する弾性体４の長さ方向に沿った方向での一端側であって、上記逃げ部２０のある開口縁１９ａ側に、容器高さ方向での突起高さを低くしてなる案内面２２が設けられている。この案内面２２は、突起部突端（上端）から第三の保持部１３側の下方（後述のリブ下方側）に向けて傾斜しているとともに、フック１０の縦板部１４側にも向けて傾斜していて、曲面や斜面として形成されている。
そして、この案内面２２は突起部１６での逃げ部２０側（開口縁１９ａ側）にあることから、第三の保持部１３から前記逃げ部２０までの弾性体移動経路に対して出っ張りとなる部分を少なくして弾性体４の移動を容易にしている。そのため、弾性体４を支持構造部９に取り付けるに際して、第三の保持部１３に位置した弾性体４をその長さ方向に多少の引っ張り力を加えて細身にしながら、突起部１６の逃げ部２０側の面に沿わせた爪先などでその弾性体４を軽く押せば、弾性体４が逃げ部２０に入り込み、その入り込みの移動をきっかけとして弾性体４が突起部１６の突端側に移動する（弾性体取り付け時）。よって、弾性体４が突起部１６の突端と上記開口縁１９ａ，１９ｂとの間で挟持されるようになり、第三の保持部１３の位置から第二の保持部１２に移動させて一時的に保持された状態にすることが容易になる。この後は、上記広幅部１８ｂの開口縁１７ｂとこの第二の保持部１２の開口縁１９ｂとが直線状に連続していることから、これらの開口縁（直線状案内部２１）に案内させて広幅部１８ｂに弾性体４を移動させれば、逃げ部２０の弾性体にも多少の引っ張り力が作用して移動し、第一の保持部１１の狭幅部１８ａに適正に位置するようになる。
【００２３】
第二の保持部１２から弾性体４を第三の保持部１３側に移動させる際、即ち、弾性体４を取り外す際にも上記案内面２１が頗る有効に働くものであって、弾性体４の逃げ部２０に位置している部分を、先ず先に爪先などで案内面２２に沿わせながら第三の保持部１３側に引き上げ移動させるようにすれば、弾性体４の逃げ部２０に位置していた部分が簡単に第三の保持部１３に移動し、この部分に引っ張られる状態で突起部１６と開口縁１９ｂとの間に位置していた部分も第三の保持部１３側に移動し、よって、弾性体４が第三の保持部１３に移動し、この後弾性体４を引っ張ることで第三の保持部１３から簡単に外れるようになる。
【００２４】
以上の弾性体４の支持構造部９からの取り外しの手順を説明すれば、以下の通りである。即ち、支持構造部９の第一の保持部１１に保持されている弾性体４を容器本体２から取り外す場合は、弾性体４が第一の保持部１１の狭幅部１８ａに位置する部分を爪先などで第二の保持部１２の逃げ部２０に軽く押し込むように移動させるとともに、広幅部１８ｂに位置する弾性体４の部分も直線状案内部２１に案内させながら第二の保持部１２に移動させ、第二の保持部１２に弾性体４を保持させる。
そして、上述のように弾性体４の逃げ部２０に位置した部分を爪先で挟み持つなどして上記案内面２２に案内させながら引っ張り上げて第三の保持部１３に移動させれば、弾性体４の第二の保持部１２の突起部１６と開口縁１９ｂとの間にある部分も第三の保持部１３に移動し、この後に弾性体４を引っ張り上げることで容器本体２の支持構造部９から弾性体４が外れ、支持構造部９それぞれの位置で同じ操作をすることで、弾性体４を容器本体２から取り外すことができる。
よって、本画材収納容器１は、この手順を把握できない幼児にあっては弾性体４を取り外すことができないものである。
【００２５】
（第三の保持部）
第三の保持部１３にあっては、フック１０の横板部１５の先端に対向位置するようにしてリブ２３を収納部５の下部から下方に向けて突出しており、このリブ２３は弾性体４の掛け渡し方向に沿って板状に設けられ、前記横板部１５の先端とで弾性体４を挟持して保持することが可能とされているものである。そして、このリブ２３と前記横板部１５の先端との間は上述のように第二の保持部１２と連続しており、弾性体４を前記第二の保持部１２に移動可能に保持することができる部分である。
そして、弾性体４を支持構造部９に取り付けるに際して、リブ２３が案内となってフック１０の横板部１５の先端に弾性体４を簡単に当てがうことができて弾性体４の取付操作に手間がかからないようになる。
【００２６】
また、リブ２３とフック１０の横板部１５の先端とで弾性体４を挟持し、この部分で弾性体４を保持する構成としていることから、第二の保持部１２への弾性体４の移動操作が簡単になる。
例えば、図示の例において三ヶ所に支持構造部９が設けられているが、弾性体４の取り付けに際して、まず最初に一つの支持構造部９に弾性体４を取り付ける場合、このリブ２３が存在せずにフック１０の横板部１５の先端に弾性体４を位置させて置くことができないと、フック１０の横板部１５の先端に弾性体４を当てがってそのまま直ぐに第二の保持部１２に弾性体４を押し入れる必要がある。しかし、僅かな力ではあるが第二の保持部１２への送り込みするための力を加える方向がずれると、横板部１５の先端から弾性体４が簡単に外れてしまう。
これに対して、本実施の形態ではリブ２３とフック１０の横板部１５の先端との間で弾性体４を挟持して保持できるようにしており、一旦、弾性体４から手を話しても支持構造部９から弾性体４が離れることがなく、この後、第二の保持部１２に移動させ易くなるように弾性体４の持ち方を変えるなどしてその弾性体４を第二の保持部１２に移動させる操作が簡単に行なえるものとなる。よって、弾性体４の支持構造部９への取り付けが適正にして簡単に行なえるものである。
【００２７】
なお、上記実施の例においては支持構造部を三ヶ所に設けたが、本発明はこの実施の例に限定されるものではなく、弾性体の掛け渡す容器本体においてこの弾性体を支持できる少なくとも一ヶ所に支持保持部を設けるようにすればよい。
【図面の簡単な説明】
【００２８】
【図１】本発明係る画材収納容器の一例を示す説明図である。
【図２】一例における容器本体の下面を上下逆転させた状態で示す説明図である。
【図３】支持構造部を上下逆転させた状態で示す説明図である。
【図４】同じく支持構造部を容器内方側から見た状態で示す説明図である。
【図５】フックを示す説明図である。
【図６】支持構造部の第一の保持部を断面で示す説明図である。
【図７】支持構造部を側方から見た状態で示す説明図である。
【図８】支持構造部をフック側から見た状態で示す説明図である。
【符号の説明】
【００２９】
１…画材収納容器
２…容器本体
３…蓋体
４…弾性体
５…収納部
７…下面
９…支持構造部
１０…フック
１１…第一の保持部
１２…第二の保持部
１３…第三の保持部
１４…縦板部
１５…横板部
１６…突起部
１７ａ…開口縁
１７ｂ…開口縁
１８ａ…狭幅部
１８ｂ…広幅部
１９ａ…開口縁
１９ｂ…開口縁
２０…逃げ部
２１…直線状案内部
２２…案内面
２３…リブ
【図１】
0005087340.tif 000002
【図２】
0005087340.tif 000003
【図３】
0005087340.tif 000004
【図４】
0005087340.tif 000005
【図５】
0005087340.tif 000006
【図６】
0005087340.tif 000007
【図７】
0005087340.tif 000008
【図８】
0005087340.tif 000009